(57)【要約】【課題】撮影映像を表示する電子機器において、撮影映像の視認性を向上させ、ユーザの利便性を向上させることが課題になっていた。【解決手段】実施形態の電子機器は、カメラで撮影され、出力された映像データを受信する映像データ受信部を備える。また、前記受信された映像データの補色に近い色データを取得する色データ取得部を備える。また、前記受信された映像データに基づく第１の表示を表示し、前記第１の表示の周辺に前記取得された前記映像データの補色に近い色データに基づく第２の表示を表示する映像表示部を備える。【選択図】  図３
2012191273.tif 000002
【特許請求の範囲】
【請求項１】
カメラで撮影され、出力された映像データを受信する映像データ受信部と、
前記受信された映像データの補色に近い色データを取得する色データ取得部と、
前記受信された映像データに基づく第１の表示を表示し、前記第１の表示の周辺に前記取得された前記映像データの補色に近い色データに基づく第２の表示を表示する映像表示部を備える電子機器。
【請求項２】
前記第２の表示は実質的に、前記第１の表示の補色に近い色である請求項１に記載の電子機器。
【請求項３】
前記色データは予め複数備えられている請求項１に記載の電子機器。
【請求項４】
前記受信された映像データの平均色を算出する平均色算出部を備える請求項１に記載の電子機器。
【請求項５】
前記第２の表示は前記受信された映像データの平均色に応じて可変である請求項１に記載の電子機器。
【請求項６】
前記色データ取得部は、前記算出された平均色の補色に近い色データを取得する請求項３に記載の電子機器。
【請求項７】
前記カメラを備え、前記カメラは前記映像表示部に並べて設けられる請求項１に記載の電子機器。
【請求項８】
照度情報を取得する照度センサと、
前記取得された照度情報に応じて前記映像表示部の輝度を調整する輝度調整部を備える請求項１に記載の電子機器。
【請求項９】
カメラで撮影され、出力された映像データを受信するステップと、
前記受信された映像データの補色に近い色データを取得するステップと、
前記受信された映像データに基づく第１の表示を表示し、前記第１の表示の周辺に前記取得された前記映像データの補色に近い色データに基づく第２の表示を表示するステップを備える表示方法。
【発明の詳細な説明】
【技術分野】
【０００１】
本発明の実施形態は、電子機器、表示方法に関する。
【背景技術】
【０００２】
近年、カメラで撮影した映像（撮影映像）を、例えば、プレビューとして映像表示部（ディスプレイ等）に表示可能な、パーソナルコンピュータ（ＰＣ）や携帯電話等の電子機器が普及している。
【０００３】
また、これらの電子機器は、カメラで撮影した映像を、例えば、インターネットを介して送受信することも可能である。
しかし、撮影が、光源が少ない（暗い）条件で行なわれた場合に、例えば、フラッシュ機能等の補助光源が備えられていない場合は、撮影映像が暗く表示されてしまうことがあった。
【０００４】
しかし、撮影が行なわれる場合に、補助光源は、必ずしも備えられていない。
そして、例えば、暗い条件で撮影が行なわれた場合は、撮影映像が暗くなり、上記プレビューやプレビューが表示される映像表示部（ディスプレイ等）が暗くなってしまうことがあった。そして、このような場合は、ユーザが撮影映像を視認しにくく、不便であることが問題になっていた。
【０００５】
このため、撮影映像を表示する電子機器において、撮影映像の視認性を向上させ、ユーザの利便性を向上させることが課題になっていた
【先行技術文献】
【特許文献】
【０００６】
【特許文献１】特開２００５−２８６４４０号公報
【発明の概要】
【発明が解決しようとする課題】
【０００７】
撮影映像を表示する電子機器において、撮影映像の視認性を向上させ、ユーザの利便性を向上させることが課題になっていた。
【課題を解決するための手段】
【０００８】
実施形態の電子機器は、カメラで撮影され、出力された映像データを受信する映像データ受信部を備える。
また、前記受信された映像データの補色に近い色データを取得する色データ取得部を備える。
また、前記受信された映像データに基づく第１の表示を表示し、前記第１の表示の周辺に前記取得された前記映像データの補色に近い色データに基づく第２の表示を表示する映像表示部を備える。
【図面の簡単な説明】
【０００９】
【図１】実施形態に係わる電子機器の一例の外観図。
【図２】実施形態に係わる電子機器の一例の構成を示すブロック図。
【図３】実施形態に係わる電子機器に表示されるカメラ撮影映像の一例を示す図。
【図４】実施形態に係わる電子機器に表示されるカメラ撮影映像の他の例を示す図。
【図５】実施形態に係わる電子機器に表示されるカメラ撮影映像の他の例を示す図。
【図６】実施形態に係わる電子機器に表示されるカメラ撮影映像の他の例を示す図。
【図７】実施形態に係わる電子機器の動作を説明するフローチャート。
【図８】実施形態に係わる電子機器において、照度センサに係る輝度制御の動作を説明するフローチャート。
【発明を実施するための形態】
【００１０】
以下、図面を参照し、実施の形態を説明する。
図１は、実施形態に係わる電子機器の一例の外観図である。
ここでは、電子機器は、例えばノートブックタイプのパーソナルコンピュータ（ノートＰＣ）１０として実現されている。
なお、この実施の形態は図に示すようなパーソナルコンピュータに限られず、スレートＰＣや、ＴＶ、携帯電話、その他携帯型の電子機器等に適用することも可能である。
【００１１】
図１に示すように、本電子機器（ノートＰＣ）１０は、コンピュータ（ノートＰＣ）本体１１と、映像表示部（ディスプレイユニット）１２とから構成されている。映像表示部（ディスプレイユニット）１２には、例えば、ＬＣＤ（liquid crystal display）１７が組み込まれている。
【００１２】
映像表示部（ディスプレイユニット）１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００１３】
コンピュータ（ノートＰＣ）本体１１は、薄い箱形の筐体を有しており、その上面には、キーボード１３、本電子機器（ノートＰＣ）１０を電源オン／電源オフするためのパワーボタン１４、入力操作パネル１５、タッチパッド１６、スピーカ１８Ａ，１８Ｂなどが配置されている。入力操作パネル１５上には、各種操作ボタンが設けられている。
【００１４】
また、コンピュータ（ノートＰＣ）本体１１の右側面には、例えばＵＳＢ（universal serial bus）２．０規格のＵＳＢケーブルやＵＳＢデバイスを接続するためのＵＳＢコネクタ１９が設けられている。
【００１５】
さらに、コンピュータ（ノートＰＣ）本体１１の背面には、例えばＨＤＭＩ(high-definition multimedia interface)規格に対応した外部ディスプレイ接続端子（図示せず）が設けられている。この外部ディスプレイ接続端子は、デジタル映像信号を外部ディスプレイに出力するために用いられる。
【００１６】
図２は、実施形態に係わる電子機器の一例の構成を示すブロック図である。
本電子機器（ノートＰＣ）１０は、図２に示されているように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００１７】
ＣＰＵ１０１は、本電子機器（ノートＰＣ）１０内の各部の動作を制御するプロセッサである。
ＣＰＵ１０１は、ＢＩＯＳ−ＲＯＭ１０７に格納されたＢＩＯＳを実行する。ＢＩＯＳは、ハードウェア制御のためのプログラムである。
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００１８】
ＧＰＵ１０５は、本電子機器（ノートＰＣ）１０のディスプレイモニタとして使用されるＬＣＤ１７を制御する表示コントローラである。
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００１９】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００２０】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００２１】
さらに、サウスブリッジ１０４は、サウンドコントローラ１０６との通信を実行する機能も有している。
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００２２】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００２３】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて本電子機器（ノートＰＣ）１０を電源オン／電源オフする機能を有している。
【００２４】
この実施の形態における表示制御は、例えばＣＰＵ１０１が主メモリ１０３やＨＤＤ１０９等に記録されたプログラムを実行させることにより行われる。
また、この実施の形態においては、電子機器１０は、後述する照度センサ２４およびカメラ２５を備え、例えば、サウスブリッジ１０４に接続されている。
図３は、実施形態に係わる電子機器に表示されるカメラ撮影映像の一例を示す図である。
符号１２は電子機器（ＰＣ）１０に構成される映像表示部（ディスプレイユニット）である。符号１７は表示画面（ＬＣＤ）、符号２３はシャッタボタン、符号２４は照度センサ、符号２５はカメラである。これらは、例えば、図に示すように、映像表示部（ディスプレイユニット）１２に設けられる。
【００２５】
符号２６は第１の表示（カメラ撮影映像）、符号２７ａは第２の表示（周辺映像）、符号２７ｂは第２の表示（周辺映像）である。この実施の形態においては、これらは、例えば、表示画面（ＬＣＤ）１７に表示される。
【００２６】
そして、この実施の形態においては、ユーザがキーボード１３やタッチパッド１６操作し、例えば、シャッタボタン２３をＯＮ動作させる。すると、このシャッタボタン２３のＯＮ動作に応じ、カメラ２５が撮影を開始する。
【００２７】
このカメラ２５で撮影され、カメラ２５から出力された撮影映像（映像データ）は、例えば、サウスブリッジ１０４で受信される。
そして、例えば、ＣＰＵ１０１の指示で、撮影映像（映像データ）を単純化する処理を行なう。例えば、ここでは、撮影映像（映像データ）の色情報を複数プロットし、平均化する処理を行なう。ここでは、上記受信した映像データから色情報が取得される。そして、取得された色情報を平均化し、単色にする（平均色を求める）。
【００２８】
続いて、予め主メモリ１０３に記憶された補色テーブル（図示せず）を用い、上記平均色の実質的な補色に近い色データを取得する。
ここで、補色について説明する。補色とは、色相環(color circle)で正反対に位置する関係の色の組み合わせである。例えば、赤に対しての緑、黄に対しての紫、青に対しての橙等、相補的な色のことでもある。
【００２９】
補色同士の色の組み合わせは互いの色を引き立て合う相乗効果があり、補色調和とも呼ばれる。
この実施の形態においては、上記求められた平均色の実質的な補色に近い色のデータを、上記主メモリ１０３に記憶された補色テーブルを用い、取得する。
また、この実施の形態においては、上記受信された撮影映像（映像データ）を用い、例えば、図に示すように、上記カメラ２５の撮影映像である第１の表示２６を、表示画面（ＬＣＤ）１７に表示出力する。
【００３０】
また、この実施の形態においては、上記求められた平均色の実質的な補色に近い色のデータを用い、図に示すように、上記表示画面（ＬＣＤ）１７の上記第１の表示（カメラ撮影映像）の周辺に、上記第１の表示（カメラ撮影映像、すなわち上記映像データ）の実質的な補色に近い色データに基づく第２の表示を表示する。
【００３１】
すなわち、この実施の形態においては、表示画面（ＬＣＤ）１７の中央に第１の表示（カメラ撮影映像）２６が表示され、この第１の表示（カメラ撮影映像）２６の周辺、すなわち左右両側に、第１の表示（カメラ撮影映像、すなわち上記映像データ）２６の実質的な補色に近い色データに基づく第２の表示（周辺映像）２７ａ、２７ｂが表示される。
【００３２】
この実施の形態においては、例えば、第１の表示（カメラ撮影映像）２６の平均色が青に近い色の場合は、上記のように、補色テーブルから、青に対する補色である橙に近い色のデータが取得され、橙に近い色の第２の表示（周辺映像）２７ａ、第２の表示（周辺映像）２７ｂが表示される。
【００３３】
また、同様に、第１の表示（カメラ撮影映像）２６の平均色が赤に近い色の場合は、第２の表示（周辺映像）２７ａ、第２の表示（周辺映像）２７ｂは緑に近い色が、また、第１の表示（カメラ撮影映像）２６の平均色が黄に近い色の場合は、第２の表示（周辺映像）２７ａ、第２の表示（周辺映像）２７ｂは紫に近い色が、それぞれ表示される。
【００３４】
すなわち、この実施の形態においては、表示画面（ＬＣＤ）１７に第１の表示（カメラ撮影映像）２６が表示され、その周辺（左右）に第２の表示（周辺映像）２７ａ、２７ｂが表示されるが、第１の表示２６はカメラ撮影映像であり、例えばその平均色は撮影映像が変化することにより、都度変化する。そして、その周辺に表示される第２の表示（周辺映像）２７ａ、２７ｂは、第１の表示の平均色が変化することにより、例えば、上記のような関係で平均色の変化に応じて変化する。
【００３５】
図４は、実施形態に係わる電子機器に表示されるカメラ撮影映像の他の例を示す図である。
この実施の形態においては、表示画面（ＬＣＤ）１７の中央に第１の表示（カメラ撮影映像）２６が表示され、この第１の表示（カメラ撮影映像）２６の周辺、すなわち第１の表示（カメラ撮影映像）２６を囲むように、第２の表示（周辺映像）２７が表示される。
【００３６】
そして、ここでも上記と同様に、第２の表示（周辺映像）２７は第１の表示（カメラ撮影映像、すなわち上記映像データ）２６の実質的な補色に近い色が表示される。
【００３７】
すなわち、この実施の形態においては、例えば、第１の表示（カメラ撮影映像）２６の平均色が青に近い色の場合は、上記のように、補色テーブルから、青に対する補色である橙に近い色のデータが取得され、橙に近い色の第２の表示（周辺映像）２７が表示される。
【００３８】
また、同様に、第１の表示（カメラ撮影映像）２６の平均色が赤に近い色の場合は、第２の表示（周辺映像）２７は緑に近い色が、また、第１の表示（カメラ撮影映像）２６の平均色が黄に近い色の場合は、第２の表示（周辺映像）２７は紫に近い色が、それぞれ表示される。
【００３９】
すなわち、この実施の形態においては、表示画面（ＬＣＤ）１７に第１の表示（カメラ撮影映像）２６が表示され、その周辺に第２の表示（周辺映像）２７が表示されるが、第１の表示２６はカメラ撮影映像であり、例えばその平均色は撮影映像が変化することにより、都度変化する。そして、その周辺に表示される第２の表示（周辺映像）２７は、第１の表示２６の平均色が変化することにより、例えば、上記のような関係で平均色の変化に応じて変化する。
【００４０】
図５は、実施形態に係わる電子機器に表示されるカメラ撮影映像の他の例を示す図である。
この実施の形態においては、表示画面（ＬＣＤ）１７の中央に第１の表示（カメラ撮影映像）２６が表示され、この第１の表示（カメラ撮影映像）２６の周辺、すなわち上下両側に、第１の表示（カメラ撮影映像、すなわち上記映像データ）２６の実質的な補色に近い色データに基づく第２の表示（周辺映像）２７ａ、２７ｂが表示される。
【００４１】
この実施の形態においては、例えば、第１の表示（カメラ撮影映像）２６の平均色が青に近い色の場合は、上記のように、補色テーブルから、青に対する補色である橙に近い色のデータが取得され、橙に近い色の第２の表示（周辺映像）２７ａ、第２の表示（周辺映像）２７ｂが表示される。
【００４２】
また、同様に、第１の表示（カメラ撮影映像）２６の平均色が赤に近い色の場合は、第２の表示（周辺映像）２７ａ、第２の表示（周辺映像）２７ｂは緑に近い色が、また、第１の表示（カメラ撮影映像）２６の平均色が黄に近い色の場合は、第２の表示（周辺映像）２７ａ、２７ｂは紫に近い色が、それぞれ表示される。
【００４３】
すなわち、この実施の形態においては、表示画面（ＬＣＤ）１７に第１の表示（カメラ撮影映像）２６が表示され、その周辺（上下）に第２の表示（周辺映像）２７ａ、２７ｂが表示されるが、第１の表示２６はカメラ撮影映像であり、例えばその平均色は撮影映像が変化することにより、都度変化する。そして、その周辺に表示される第２の表示（周辺映像）２７ａ、２７ｂは、第１の表示２６の平均色が変化することにより、例えば、上記のような関係で平均色の変化に応じて変化する。
【００４４】
図６は、実施形態に係わる電子機器に表示されるカメラ撮影映像の他の例を示す図である。
上記説明においては、第１の表示（カメラ撮影映像）２６が横長の表示画面（ＬＣＤ）１７に表示される例を用いたが、この実施の形態においては、縦長の表示画面（ＬＣＤ）１７に表示される例を用いる。
【００４５】
この実施の形態においては、縦長の表示画面（ＬＣＤ）１７の中央に第１の表示（カメラ撮影映像）２６が表示され、この第１の表示（カメラ撮影映像）２６の周辺、すなわち上下両側に、第１の表示（カメラ撮影映像、すなわち上記映像データ）２６の実質的な補色に近い色データに基づく第２の表示（周辺映像）２７ａ、２７ｂが表示される。
【００４６】
そして、この実施の形態においては、例えば、第１の表示（カメラ撮影映像）２６の平均色が青に近い色の場合は、上記のように、補色テーブルから、青に対する補色である橙に近い色のデータが取得され、橙に近い色の第２の表示（周辺映像）２７ａ、第２の表示（周辺映像）２７ｂが表示される。
【００４７】
また、同様に、第１の表示（カメラ撮影映像）２６の平均色が赤に近い色の場合は、第２の表示（周辺映像）２７ａ、第２の表示（周辺映像）２７ｂは緑に近い色が、また、第１の表示（カメラ撮影映像）２６の平均色が黄に近い色の場合は、第２の表示（周辺映像）２７ａ、２７ｂは紫に近い色が、それぞれ表示される。
【００４８】
すなわち、この実施の形態においては、縦長の表示画面（ＬＣＤ）１７に第１の表示（カメラ撮影映像）２６が表示され、その周辺（上下）に第２の表示（周辺映像）２７ａ、２７ｂが表示されるが、第１の表示２６はカメラ撮影映像であり、例えばその平均色は撮影映像が変化することにより、都度変化する。そして、その周辺に表示される第２の表示（周辺映像）２７ａ、２７ｂは、第１の表示２６の平均色が変化することにより、例えば、上記のような関係で平均色の変化に応じて変化する。
【００４９】
図７は、実施形態に係わる電子機器の動作を説明するフローチャートである。
符号Ｓ１００は、ここでの開始ステップである。続いて、ステップＳ１０１に進む。
ステップＳ１０１は、例えば、ユーザが、キーボード１３やタッチパッド１６を操作し、カメラ撮影のシャッタボタン２３をＯＮにするステップである。続いて、ステップＳ１０２に進む。
【００５０】
ステップＳ１０２は、電子機器（ＰＣ）１０に構成されるカメラ２５を用い、撮影を開始するステップである。カメラ２５は、撮影された映像データを出力する。続いて、ステップＳ１０３に進む。
【００５１】
ステップＳ１０３は、カメラ２５で撮影された映像データを電子機器（ＰＣ）１０が受信するステップである。続いて、ステップＳ１０４に進む。
ステップＳ１０４は、上記受信した映像データから色情報を取得するステップである。続いて、ステップＳ１０５に進む。
ステップＳ１０５は、上記取得された色情報を平均化し、例えば単色にする、すなわち、平均色を求めるステップである。続いて、ステップＳ１０６に進む。
ステップＳ１０６は、予め主メモリ１０３に記憶された上記補色テーブルを用い、平均色の補色に近い色データを取得するステップである。続いて、ステップＳ１０７に進む。
【００５２】
ステップＳ１０７は、上記受信した映像データに基づいて、映像表示部１２に第１の表示（カメラ撮像映像）２６を出力表示するステップである。続いて、ステップＳ１０８に進む。
【００５３】
ステップＳ１０８は、上記取得された色データを用い、上記第１の表示（カメラ撮像映像）２６の周辺に、第１の表示（カメラ撮像映像）２６の平均色の補色に近い色を含む第２の表示２７ａ、２７ｂ等を出力表示するステップである。続いて、ステップＳ１０９に進む。
【００５４】
ステップＳ１０９は、撮影映像の平均色は基準値を超えて変動したかを判別するステップである。この基準値は、例えば、予め、主メモリ１０３に記憶されている。そして、撮影映像の平均色は基準値を超えて変動したと判別される場合はステップＳ１０４に進み、上記のように、色情報を取得し、平均色を求め、平均色の補色に近い色データを取得し、例えば、表示画面（ＬＣＤ）１７に、上記第１の表示２６および第２の表示（周辺映像）２７ａ、２７ｂを表示する。
【００５５】
すなわち、この実施の形態においては、第１の表示（カメラ撮影映像）２６の平均色が変化すると、第２の表示（周辺映像）２７ａ、２７ｂに表示される色も、この変化に応じて変化する。
【００５６】
このように、第２の表示（周辺映像）２７ａ、２７ｂに第１の表示（カメラ撮像映像）２６の補色を表示することによって、第１の表示（カメラ撮像映像）２６をより自然に近づけた色で表示することが可能になる。
【００５７】
図８は、実施形態に係わる電子機器において、照度センサに係る輝度制御の動作を説明するフローチャートである。
符号Ｓ２００は、ここでの開始ステップである。続いて、ステップＳ２０１に進む。
ステップＳ２０１は、照度センサ２４を用い、例えば、照度を測定することにより、照度情報を取得するステップである。続いて、ステップＳ２０２に進む。
ステップＳ２０２は、この取得された照度情報を予め決められた基準値と比較し、取得された照度情報が予め決められた基準値より明るいかを判別するステップである。取得された照度情報が予め決められた基準値より明るいと判別される場合はステップＳ２０３に進む（ステップＳ２０２のＹｅｓ）。取得された照度情報が予め決められた基準値より明るいと判別されない場合はステップＳ２０４に進む（ステップＳ２０２のＮｏ）。
【００５８】
ステップＳ２０３は、例えば、ＣＰＵ１０１がＧＰＵ１０５に指示し、ＬＣＤ（ディスプレイ）１７の輝度を下げる制御を行なうステップである。続いて、ステップＳ２０１に進み、上記処理を繰り返す。
【００５９】
ステップＳ２０４は、この取得された照度情報を予め決められた基準値と比較し、取得された照度情報が予め決められた基準値より暗いかを判別するステップである。取得された照度情報が予め決められた基準値より暗いと判別される場合はステップＳ２０５に進む（ステップＳ２０４のＹｅｓ）。取得された照度情報が予め決められた基準値より暗いと判別されない場合はステップＳ２０１に進み上記処理を繰り返す（ステップＳ２０４のＮｏ）。
【００６０】
これによって、第１の表示（カメラ撮像映像）２６の視認性を向上させることが可能になる。
また、上記のように、第１の表示（カメラ撮像映像）２６をより自然に近づけた色で表示し、また、表示画面（ＬＣＤ）１７の輝度を制御することにより、より鮮明な映像を表示出力することが可能になる。
【００６１】
なお、上記説明においては、カメラ２５が映像表示部（ディスプレイ）１２と一体に構成される例を用いたが、この実施の形態においてはこれに限定されるものではなく、カメラ２５と映像表示部（ディスプレイ）１２は別体に構成することも可能である。
【００６２】
上記のように構成することによって、この発明の実施の形態においては、撮影映像を表示する電子機器において、撮影映像の視認性を向上させ、ユーザの利便性を向上させることが可能になる。
【００６３】
なお、上記実施形態は、記述そのものに限定されるものではなく、実施段階では、その趣旨を逸脱しない範囲で、構成要素を種々変形して具体化することが可能である。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６４】
１０…電子機器（ＰＣ）、１２…映像表示部（ディスプレイユニット）、１７…表示画面（ＬＣＤ）、２３…シャッタボタン、２４…照度センサ、２５…カメラ、２６…第１の表示（カメラ撮影映像）、２７ａ…第２の表示（周辺映像）、２７ｂ…第２の表示（周辺映像）。
【図１】
2012191273.tif 000003
【図２】
2012191273.tif 000004
【図３】
2012191273.tif 000005
【図４】
2012191273.tif 000006
【図５】
2012191273.tif 000007
【図６】
2012191273.tif 000008
【図７】
2012191273.tif 000009
【図８】
2012191273.tif 000010